(57)【要約】【課題】  ユーザに着信相手を正確に通知すること。【解決手段】  携帯電話機は、個人を識別するための個人識別情報と、該個人に対して通信のために割り当てられた通信識別情報とを関連付けた個人情報を記憶するＥＥＰＲＯＭと、着信に応じて通信相手に割り当てられた通信識別情報と同一の通信識別情報を含む個人情報を抽出する個人情報抽出部（Ｓ１２）と、着信を報知する着信報知部（Ｓ１４、Ｓ２１）と、を備え、着信報知部は、個人情報抽出部により複数の個人情報が抽出される場合と、単一の個人情報が抽出される場合とで異なる態様で報知する。【選択図】        図１０
2011155480.tif 000002
【特許請求の範囲】
【請求項１】
個人を識別するための個人識別情報と、該個人に対して通信のために割り当てられた通信識別情報とを関連付けた個人情報を記憶する個人情報記憶部と、
着信に応じて通信相手に割り当てられた通信識別情報と同一の前記通信識別情報を含む個人情報を抽出する個人情報抽出部と、
着信を報知する着信報知部と、を備え、
前記着信報知部は、前記個人情報抽出部により複数の個人情報が抽出される場合と、単一の個人情報が抽出される場合とで異なる態様で報知する、通信装置。
【請求項２】
前記着信報知部は、前記個人情報抽出部により単一の個人情報が抽出される場合、抽出された単一の個人情報に含まれる個人識別情報を表示し、前記個人情報抽出部により複数の個人情報が抽出される場合、抽出された複数の個人情報にそれぞれ含まれる複数の個人識別情報を表示する個人情報表示部を含む、請求項１に記載の通信装置。
【請求項３】
過去の通信相手の個人識別情報を履歴として記憶する履歴記憶部をさらに備え、
前記履歴記憶部は、前記個人情報抽出部により前記複数の個人情報が抽出された場合、通信終了時に前記複数の個人情報のうちから１つを選択する選択部を含み、
前記選択部により選択された個人情報に含まれる個人識別情報を履歴として記憶する、請求項１または２に記載の通信装置。
【請求項４】
前記着信報知部は、前記個人情報抽出部により複数の個人情報が抽出される場合、抽出された個人情報が複数である旨を報知する、請求項１に記載の通信装置。
【請求項５】
個人情報を入力する入力部と、
前記入力された個人情報を前記個人情報記憶部に新たに記憶する個人情報管理部と、をさらに備え、
前記個人情報管理部は、前記入力された個人情報に含まれる前記通信識別情報と同じ通信識別情報を含む個人情報が前記個人情報記憶部に記憶されている場合、警告する警告部を含む、請求項１〜４のいずれかに記載の通信装置。
【請求項６】
前記着信報知部は、音を発生する音発生部をさらに含み、
前記音発生部は、前記個人情報抽出部により複数の個人情報が抽出される場合と、単一の個人情報が抽出される場合とで、異なる音を発生する、請求項１〜５のいずれかに記載の通信装置。
【請求項７】
前記着信報知部は、振動を発生する振動発生部をさらに含み、
前記振動発生部は、前記個人情報抽出部により複数の個人情報が抽出される場合と、単一の個人情報が抽出される場合とで、異なるパターンの振動を発生する、請求項１〜５のいずれかに記載の通信装置。
【請求項８】
個人を識別するための個人識別情報と、該個人に対して通信のために割り当てられた通信識別情報とを関連付けた個人情報を記憶するステップと、
着信に応じて通信相手に割り当てられた通信識別情報と同一の前記通信識別情報を含む個人情報を抽出するステップと、
着信を報知するステップと、を備え、
前記着信を報知するステップは、前記個人情報を抽出するステップにより複数の個人情報が抽出される場合は、単一の個人情報が抽出される場合と異なる態様で報知するステップを含む、着信報知方法。
【請求項９】
個人を識別するための個人識別情報と、該個人に対して通信のために割り当てられた通信識別情報とを関連付けた個人情報を記憶するステップと、
着信に応じて通信相手に割り当てられた通信識別情報と同一の前記通信識別情報を含む個人情報を抽出するステップと、
着信を報知するステップと、を備え、
前記着信を報知するステップは、前記個人情報を抽出するステップにより複数の個人情報が抽出される場合は、単一の個人情報が抽出される場合と異なる態様で報知するステップを含む、着信報知プログラム。
【発明の詳細な説明】
【技術分野】
【０００１】
この発明は、通信装置、着信報知方法および着信報知プログラムに関し、特に着信相手を通知する機能を備えた通信装置、その通信装置で実行される着信通知方法および着信通知プログラムに関する。
【背景技術】
【０００２】
個人ごとに電話番号と名前とを関連付けた電話帳を記憶しておき、着信時に発信元の電話番号で電話帳を検索し、発信元の電話番号と関連付けられた名前を表示する着信報知機能を備えた携帯電話機が知られている。一方、電話帳に、電話番号は同一であるが異なる登録名で複数の個人が登録される場合がある。例えば、ある会社において、１台の固定電話機を複数人が共有する場合などである。この場合は、着信時に発信元の電話番号からそれと関連付けられた複数の個人のいずれが発信者であるかを特定することができない。このため、従来の携帯電話機は、同一の電話番号と関連付けられた複数の個人のうちのいずれか一人、例えば電話帳の検索において最初に抽出された名前を表示する。このため、発信者が表示された名前の人物とは異なる場合があり、ユーザは、通話して初めて表示が誤っていたことに気付く。このように、従来の携帯電話機は、同一の電話番号に複数の名前が登録される場合に、発信元を誤って表示してしまうといった問題があった。
【０００３】
例えば、特開２００３−３４８２１７号公報（特許文献１）には、携帯電話端末内に予め登録されたリストの中から着信者の名前を検索して画面に表示する機能をも持つ携帯電話端末装置において、同一および類似の登録名が該リストに複数ある場合に当該登録名が重複していることを着信発生時に表示する携帯電話端末が記載されている。
【０００４】
しかしながら、従来の携帯電話端末は、発信者の名前と同一または類似する別の名前が登録されていることをユーザに通知することができるが、発信者の電話番号と同一の電話番号と関連付けて別の名前が登録されていてもその別の名前が発信者の名前と同一または類似しなければ何も表示することなく、上記問題点を解決することはできない。
【特許文献１】特開２００３−３４８２１７号公報
【発明の概要】
【発明が解決しようとする課題】
【０００５】
この発明は上述した問題点を解決するためになされたもので、この発明の目的の１つは、ユーザに着信相手を正確に通知することが可能な通信装置を提供することである。
【０００６】
この発明の他の目的は、ユーザに着信相手を正確に通知することが可能な着信報知方法を提供することである。
【０００７】
この発明のさらに他の目的は、ユーザに着信相手を正確に通知することが可能な着信報知プログラムを提供することである。
【課題を解決するための手段】
【０００８】
上述した問題を達成するためにこの発明のある局面によれば、通信装置は、個人を識別するための個人識別情報と、該個人に対して通信のために割り当てられた通信識別情報とを関連付けた個人情報を記憶する個人情報記憶部と、着信に応じて通信相手に割り当てられた通信識別情報と同一の通信識別情報を含む個人情報を抽出する個人情報抽出部と、着信を報知する着信報知部と、を備え、着信報知部は、個人情報抽出部により複数の個人情報が抽出される場合と、単一の個人情報が抽出される場合とで異なる態様で報知する。
【０００９】
この局面に従えば、着信に応じて通信相手に割り当てられた通信識別情報と同一の通信識別情報を含む複数の個人情報が抽出された場合、ユーザに対して、単一の個人情報が抽出された場合に発生する報知と異なる態様で報知される。このため、着信時において、通信相手として複数の候補が存在することをユーザに通知することができる。その結果、ユーザに着信相手を正確に通知することが可能な通信装置を提供できる。
【００１０】
好ましくは、着信報知部は、個人情報抽出部により単一の個人情報が抽出される場合、抽出された単一の個人情報に含まれる個人識別情報を表示し、個人情報抽出部により複数の個人情報が抽出される場合、抽出された複数の個人情報にそれぞれ含まれる複数の個人識別情報を表示する個人情報表示部を含む。
【００１１】
この局面に従えば、単一の個人情報が抽出される場合、抽出された単一の個人情報に含まれる個人識別情報が表示され、複数の個人情報が抽出される場合、抽出された複数の個人情報にそれぞれ含まれる複数の個人識別情報が表示される。その結果、通信相手の可能性のある複数の者の個人識別情報をユーザに報知することができる。
【００１２】
好ましくは、過去の通信相手の個人識別情報を履歴として記憶する履歴記憶部をさらに備え、履歴記憶部は、個人情報抽出部により複数の個人情報が抽出された場合、通信終了時に複数の個人情報のうちから１つを選択する選択部を含み、選択部により選択された個人情報を履歴として記憶する。
【００１３】
この局面に従えば、複数の個人情報が抽出された場合、通信終了時に複数の個人情報のうちから選択された１つの個人情報が履歴として記憶される。これにより、実際に通信した相手を履歴として記憶することができる。
【００１４】
好ましくは、個人情報抽出部により複数の個人情報が抽出される場合、抽出された個人情報が複数である旨を報知する。
【００１５】
この局面に従えば、通信相手の可能性のある者が複数であることをユーザに通知することができる。
【００１６】
好ましくは、個人情報を入力する入力部と、入力された個人情報を個人情報記憶部に新たに記憶する個人情報管理部と、をさらに備え、個人情報管理部は、入力された個人情報に含まれる通信識別情報と同じ通信識別情報を含む個人情報が個人情報記憶部に記憶されている場合、警告する警告部を含む。
【００１７】
この局面に従えば、新たに受け付けられた個人情報に含まれる通信識別情報と同じ通信識別情報を含む個人情報が記憶されている場合、警告する。これにより、同じ通信識別情報で複数の個人情報が登録されることをユーザに通知することができる。
【００１８】
好ましくは、着信報知部は、音を発生する音発生部をさらに含み、音発生部は、個人情報抽出部により複数の個人情報が抽出される場合と、単一の個人情報が抽出される場合とで、異なる音を発生する。
【００１９】
この局面に従えば、複数の個人情報が抽出される場合と、単一の個人情報が抽出される場合とで、異なる音が発生するので、通信相手の可能性のある者が複数であることを音で通知することができる。
【００２０】
好ましくは、着信報知部は、振動を発生する振動発生部をさらに含み、振動発生部は、個人情報抽出部により複数の個人情報が抽出される場合と、単一の個人情報が抽出される場合とで、異なるパターンの振動を発生する。
【００２１】
この局面に従えば、複数の個人情報が抽出される場合と、単一の個人情報が抽出される場合とで、異なるパターンで振動するので、通信相手の可能性のある者が複数であることを振動で通知することができる。
【００２２】
この発明の他の局面によれば、着信報知方法は、個人を識別するための個人識別情報と、該個人に対して通信のために割り当てられた通信識別情報とを関連付けた個人情報を記憶するステップと、着信に応じて通信相手に割り当てられた通信識別情報と同一の通信識別情報を含む個人情報を抽出するステップと、着信を報知するステップと、を備え、着信を報知するステップは、個人情報を抽出するステップにより複数の個人情報が抽出される場合は、単一の個人情報が抽出される場合と異なる態様で報知する。
【００２３】
この局面に従えば、ユーザに着信相手を正確に通知することが可能な着信報知方法を提供することができる。
【００２４】
この発明のさらに他の局面によれば、着信報知プログラムは、個人を識別するための個人識別情報と、該個人に対して通信のために割り当てられた通信識別情報とを関連付けた個人情報を記憶するステップと、着信に応じて通信相手に割り当てられた通信識別情報と同一の通信識別情報を含む個人情報を抽出するステップと、着信を報知するステップと、を備え、着信を報知するステップは、個人情報を抽出するステップにより複数の個人情報が抽出される場合は、単一の個人情報が抽出される場合と異なる態様で報知する。
【００２５】
この局面に従えば、ユーザに着信相手を正確に通知することが可能な着信報知プログラムを提供することができる。
【発明を実施するための形態】
【００２６】
以下、本発明の実施の形態について図面を参照して説明する。以下の説明では同一の部品には同一の符号を付してある。それらの名称および機能も同じである。したがってそれらについての詳細な説明は繰返さない。
【００２７】
図１は、本発明の実施の形態の一つにおける携帯電話機の外観を示す斜視図である。図１は、オープンスタイルの状態にある携帯電話機の外観を示す図である。図１を参照して、通信装置としての携帯電話機１は、操作側部３と、表示側部２とを含む。操作側部３は、テンキーおよび通話キー等を含む操作キー１４と、マイクロフォン１３とが内側面に配置される。表示側部２は、液晶表示装置（ＬＣＤ）１５と、レシーバを構成するスピーカ１１と、カメラ２４とが内側面に配置される。なお、ここでは携帯電話機１がＬＣＤ１５を備える例を示すが、ＬＣＤ１５に代えて、有機ＥＬ（ＥｌｅｃｔｒｏＬｕｍｉｎｅｓｃｅｎｃｅ）ディスプレイを用いてもよい。操作側部３と表示側部２とは、ヒンジ機構で回転可能に連結され、操作側部３と表示側部２とは開閉自在である。携帯電話機１を折りたたんで、操作側部３と表示側部２とが閉状態にあるときの携帯電話機１の状態がクローズスタイルであり、携帯電話機１を開いて、操作側部３と表示側部２とが開状態にあるときの携帯電話機１の状態がオープンスタイルである。
【００２８】
なお、ここでは、折り畳み式の携帯電話機１を例に示すが、スライド式、回転式、または単一筐体の携帯電話機であってもよい。
【００２９】
図２は、本実施の形態における携帯電話機のハードウェア構成の一例を示すブロック図である。図２を参照して、携帯電話機１は、携帯電話機１の全体を制御するための中央演算装置（ＣＰＵ）２１と、アンテナ２２Ａと接続された無線回路２２と、音声データを符号化または復号するためのコーデック部２３と、音声データを処理するための音声制御部２８と、カメラ２４と、ユーザの操作の入力を受け付ける操作部２５と、着信を振動で報知するための振動部２６と、ＣＰＵ２１で実行するプログラム等を記憶するためのＥＥＰＲＯＭ（Ｅｌｅｃｔｒｉｃａｌｌｙ  ＥｒａｓａＢｌｅ  ａｎｄ  ＰｒｏｇｒａｍｍａＢｌｅ  Ｒｅａｄ  Ｏｎｌｙ  Ｍｅｍｏｒｙ）３１と、ＣＰＵ２１の作業領域として使用されるＲＡＭ（Ｒａｎｄｏｍ  Ａｃｃｅｓｓ  Ｍｅｍｏｒｙ）３２と、カードインターフェース（Ｉ／Ｆ）２７と、を含む。
【００３０】
無線回路２２は、ＣＰＵ２１により制御され、無線基地局と通信する。具体的には、無線回路２２は、アンテナ２２Ａにより受信された無線信号が入力され、無線信号を復調した音声信号をコーデック部２３に出力する。また、無線回路２２は、コーデック部２３から音声信号が入力され、音声信号を変調した無線信号をアンテナ２２Ａに出力する。コーデック部２３は、無線回路２２から入力される音声信号を復号し、復号したデジタルの音声信号をアナログに変換し、音声制御部２８に出力する。また、コーデック部２３は、音声制御部２８からアナログの音声信号が入力され、音声信号をデジタルに変換し、符号化し、そして符号化した音声信号を無線回路２２に出力する。
【００３１】
また、無線回路２２は、無線基地局との間でデータ通信が可能である。特に、無線回路２２は、無線基地局に接続された電子メールサーバと無線基地局を介して通信することが可能である。無線回路２２は、電子メールサーバから送信される電子メールを受信し、ＣＰＵ２１に出力する。また、無線回路２２は、ＣＰＵ２１から入力される電子メールを電子メールサーバに送信する。ＣＰＵ２１は、電子メールサーバとの間で送受信した電子メールをＥＥＰＲＯＭ３１に記憶する。
【００３２】
操作部２５は、操作キー１４を含む。操作キー１４は、複数のキーを含み、ユーザによる操作の入力を受け付け、受け付けた操作をＣＰＵ２１に出力する。
【００３３】
音声制御部２８は、マイクロフォン１３と接続され、マイクロフォン１３が集音して出力するアナログの音声信号が入力される。音声制御部２８は、マイクロフォン１３から入力される音声信号をコーデック部２３に出力する。また、音声制御部２８は、コーデック部２３から音声信号が入力され、コーデック部２３から入力された音声信号をスピーカ１１に出力する。
【００３４】
カードＩ／Ｆ２７には、着脱可能なメモリカード２７Ａが装着される。メモリカード２７Ａは、フラッシュメモリ等の不揮発性メモリを有し、プログラムを記憶可能である。ＣＰＵ２１は、カードＩ／Ｆ２７を介して、メモリカード２７Ａにアクセスが可能である。なお、ここではＣＰＵ２１で実行するためのプログラムをＥＥＰＲＯＭ３１に記憶しておく例を説明するが、プログラムをメモリカード２７Ａに記憶しておき、メモリカード２７Ａからプログラムを読み出して、ＣＰＵ２１で実行するようにしてもよい。プログラムを記憶する記録媒体としては、メモリカード２７Ａに限らず、フレキシブルディスク、カセットテープ、光ディスク（ＣＤ−ＲＯＭ（Ｃｏｍｐａｃｔ  Ｄｉｓｃ−ＲＯＭ）／ＭＯ（Ｍａｇｎｅｔｉｃ  Ｏｐｔｉｃａｌ  Ｄｉｓｃ）／ＭＤ（Ｍｉｎｉ  Ｄｉｓｃ）／ＤＶＤ（Ｄｉｇｉｔａｌ  Ｖｅｒｓａｔｉｌｅ  Ｄｉｓｃ））、光カード、マスクＲＯＭ、ＥＰＲＯＭなどの半導体メモリ等でもよい。
【００３５】
また、ＣＰＵ２１が、無線回路２２を介してインターネットに接続されたコンピュータからプログラムをダウンロードし、そのプログラムを実行するようにしてもよい。ここでいうプログラムは、ＣＰＵ２１により直接実行可能なプログラムだけでなく、ソースプログラム、圧縮処理されたプログラム、暗号化されたプログラム等を含む。
【００３６】
カメラ２４は、レンズおよびＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）センサ等の光電変換素子を備え、レンズで集光した光をＣＭＯＳセンサに結像し、ＣＭＯＳセンサは受光した光を光電変換して画像データをＣＰＵ２１に出力する。カメラ２４は、ＣＰＵ２１により制御され、ＣＰＵ２１からの指示により撮像を開始して、得られる静止画データまたは動画データをＣＰＵ２１に出力する。ＣＰＵ２１は、カメラ２４が出力する静止画データまたは動画データをＬＣＤ１５に表示する、または、所定の圧縮符号化方式で静止画データまたは動画データを符号化して、ＥＥＰＲＯＭ３１またはカードＩ／Ｆ２７に装着されたメモリカード２７Ａに記憶する。
【００３７】
ＣＰＵ２１は、操作部２５から操作が入力されると、入力された操作に応じて処理を実行する。ＣＰＵ２１は、ＥＥＰＲＯＭ３１に記憶されている複数のアプリケーションプログラムを読出して実行する。これらのアプリケーションプログラムは、Ｃ言語やＪＡＶＡ（登録商標）などのプログラム言語で記述されるが、アプリケーションプログラムが記述されるプログラム言語は、これらに限定されることなく、他のいかなるプログラム言語で記述されてもよい。また、複数のアプリケーションプログラムがＥＥＰＲＯＭ３１に記憶されて携帯電話機１に搭載されるが、複数のアプリケーションプログラムは、単一のプログラム言語で記述されたものであってもよいし、異なるプログラム言語で記述されたものであってもよい。すなわち、複数のプログラム言語で記述されたアプリケーションプログラムが混在してもよい。
【００３８】
図３は、本発明の実施の形態の１つにおける携帯電話機のＣＰＵの機能の概要をＥＥＰＲＯＭに記憶する情報とともに示す機能ブロック図である。図３を参照して、ＣＰＵ２１は、個人情報を受け付ける個人情報受付部４１と、発着信および通話を制御する通信制御部４３と、個人情報を管理する個人情報管理部４５と、外部からの着信を報知する着信報知部５１と、発着信の履歴情報を記憶する履歴記憶部６１と、を含む。
【００３９】
ＥＥＰＲＯＭ３１は、電話帳６５と、履歴６７と、を記憶する。電話帳６５は、個人ごとにその個人の個人情報を含む電話帳レコードを含む。個人情報は、個人を識別するための個人識別情報と、その個人に割り当てられた通信識別情報とを、少なくとも含む。通信識別情報は、電話番号である。ここでは、個人情報は、個人識別情報、電話番号および画像を含む場合を説明する。履歴６７は、発着信ごとに、通信相手の個人識別情報と電話番号と、着信または発信の日時と、を含む履歴レコードを含む。
【００４０】
図４は、電話帳の一例を示す図である。図４を参照して、電話帳６５は、個人に対応した電話帳レコードを含む。具体的には、電話帳レコードは、Ｎｏ．の項目と、個人識別情報（氏名）の項目と、電話番号の項目と、画像の項目と、重複印の項目と、を含む。
【００４１】
Ｎｏ．の項目は、電話帳レコードを識別するために付された番号が設定される。ここでは、番号を、電話帳レコードが記憶された順番としている。個人識別情報の項目は、個人を識別するための個人識別情報が設定される。ここでは、個人識別情報に氏名を用いている。電話番号の項目は、個人識別情報の項目に設定された氏名で特定される個人に割り当てられた電話番号が設定される。電話番号は、個人が使用する携帯電話機に割り当てられた電話番号または固定電話機に割り当てられた電話番号である。画像の項目は、個人識別情報の項目に設定された氏名で特定される個人を撮像した画像が設定される。なお、個人を撮像した画像に限らず、その個人に関連する画像であってもよい。なお、図４においては、画像を便宜上、線画で示している。また、画像の項目に設定される画像は、画像自体であってもよいし、画像の識別情報、例えばファイル名であってもよい。重複印の項目は、電話番号の項目に同じ電話番号が設定された別の電話帳レコードが存在する場合に、別の電話帳レコードのＮｏ．の項目に設定された番号が設定される。すなわち、重複印の項目は、電話番号が重複する電話帳レコードが存在することを示す印である。
【００４２】
図３に戻って、通信制御部４３は、電話の発着信を制御する。具体的には、通信制御部４３は、ユーザにより操作部２５に電話番号が入力されると、入力された電話番号を無線回路２２に出力する。無線回路２２は、電話番号を含む発呼信号を無線基地局へ送信し、発信先のユーザが応答すれば、回線を接続する。これにより、発信先の通信相手と通話が可能な状態になる。また、通信制御部４３は、無線回路２２が無線基地局から着呼信号を受信すると、着呼信号に含まれる発信元の電話番号を着信報知部５１および履歴記憶部６１に記憶する。ここでは、無線回路２２による無線基地局から送信される着呼信号の受信を着信という。さらに、通信制御部４３は、着信後、ユーザが着信に応答する操作、例えば、操作キー１４に含まれる通話ボタンを押下すると、回線を接続する。これにより、発信元の通信相手と通話が可能な状態になる。なお、発信先の電話番号または発信元の電話番号が割り当てられた電話機は、ＰＳＴＮ（Ｐｕｂｌｉｃ  Ｓｗｉｔｃｈｅｄ  Ｔｅｌｅｐｈｏｎｅ  Ｎｅｔｗｏｒｋｓ）に接続される固定電話機と、無線ネットワークに接続される携帯電話機とを含む。
【００４３】
個人情報受付部４１は、ユーザにより操作部２５に個人情報を登録するための操作が入力されると、登録画面をＬＣＤ１５に表示させる。そして、ユーザが操作部２５から登録画面に含まれる個人識別情報、電話番号、および画像それぞれを入力する項目に個人識別情報、電話番号、および画像を入力すれば、それらを受け付ける。なお、画像は、カメラ２４において撮像された画像であってもよいし、ＥＥＰＲＯＭ３１に記憶された画像であってもよい。登録画面は、撮像された画像またはＥＥＰＲＯＭ３１に記憶された画像を指定する領域を含み、その領域に画像を特定する情報を入力する操作をユーザが操作部２５に入力することによって、画像が入力される。個人情報受付部４１は、受け付けられた個人識別情報、電話番号、および画像を個人情報管理部４５に出力する。
【００４４】
個人情報管理部４５は、個人情報受付部４１から入力される個人識別情報、電話番号および画像をＥＥＰＲＯＭ３１に記憶する。具体的には、個人識別情報、電話番号、および画像を含む電話帳レコードを生成し、生成された電話帳レコードをＥＥＰＲＯＭ３１に記憶されている電話帳６５に追加する。
【００４５】
個人情報管理部４５は、警告部４７と、識別情報付加部４９と、を含む。警告部４７は、個人情報管理部４５が電話帳レコードを電話帳６５に追加する際、追加される電話帳レコードの電話番号の項目に設定されている電話番号と同じ電話番号が電話番号の項目に設定されている電話帳レコードが既に電話帳６５に存在するか否かを判断し、そのような電話帳レコードが電話帳６５に記憶されている場合、警告する。警告とは、例えば、「同じ電話番号で既に登録されています。重複して登録しますか？」のメッセージをＬＣＤ１５に表示する。また、警告音を発するようにしてもよいし、ランプを点滅させるようにしてもよい。
【００４６】
識別情報付加部４９は、電話帳レコードを電話帳６５に追加する際、追加される電話帳レコードの電話番号の項目に設定されている電話番号と同じ電話番号が電話番号の項目に設定されている電話帳レコードが既に電話帳６５に存在する場合、追加される電話帳レコードの重複印の項目に、重複することを示す印を設定する。ここでは、追加される電話帳レコードの重複印の項目に、既に電話帳６５に存在する電話帳レコードのＮＯ．の項目に設定されている番号を設定するとともに、既に電話帳６５に存在する追加される電話帳レコードの重複印の項目に、追加される電話帳レコードのＮＯ．の項目に設定されている番号を設定する。
【００４７】
このように、個人情報管理部４５は、ユーザにより登録を決定する指示が入力されると、新たな電話帳レコードをＥＥＰＲＯＭ３１に記憶されている電話帳６５に追加する。個人情報管理部４５は、新たに追加する電話帳レコードの電話番号の項目に設定された電話番号と同じ電話番号を含む電話帳レコードが電話帳６５に存在する場合には、同じ電話番号を含む２つの電話帳レコードの重複印の項目に、互いのＮｏ．の項目に設定されている番号を設定する。これにより、同じ電話番号を含む複数の電話帳レコードを抽出する処理を速くすることができる。
【００４８】
図４を参照して、番号の項目に「２」が設定された電話帳レコードと、番号の項目に「３」が設定された電話帳レコードとの通信識別情報の項目に、同じ電話番号「２２２−３３３−４４４４」が設定されている。ここで、番号の項目に「１」および「２」が設定された２つの電話帳レコードが記憶されている段階で、番号の項目に「３」が設定された電話帳レコードが電話帳６５に追加して記憶される場合を例に説明する。番号の項目に「３」が設定された電話帳レコードが電話帳６５に追加される場合、追加される電話帳レコードの重複印の項目に、電話番号が重複する電話帳レコードのＮｏ．の項目に設定されている「２」が設定され、Ｎｏ．の項目に「２」が設定された電話帳レコードの重複印の項目に、新たに追加される電話帳レコードのＮｏ．の項目に設定されている「３」が設定される。なお、電話番号が重複する電話帳レコードが３個以上ある場合、重複印の欄に、電話番号が重複する電話帳レコードのＮＯ．が複数個設定される。
【００４９】
図３に戻って、着信報知部５１は、通信制御部４３が着呼信号を受信すると、通信制御部４３から発信元の電話番号が入力される。着信報知部５１は、通信制御部４３から電話番号が入力されると、入力された電話番号と同一の電話番号が電話番号の項目に設定された電話帳レコードをＥＥＰＲＯＭ３１から抽出する。そして、着信報知部５１は、着信画面の表示、音、および振動で着信を報知する。着信報知部５１は、電話帳６５から単一の電話帳レコードを抽出する場合は第１の態様で着信を報知し、電話帳６５から複数の電話帳レコードを抽出する場合は第２の態様で着信を報知する。第１の態様による報知と第２の態様による報知とは、表示する着信中画面、出力する音および振動が異なる。
【００５０】
より詳細に説明すると、着信報知部５１は、個人情報抽出部５３と、個人情報表示部５５と、音発生部５７と、振動発生部５９と、を含む。個人情報抽出部５３は、通信制御部４３から電話番号が入力されると、入力された電話番号と同一の電話番号が電話番号の項目に設定された電話帳レコードをＥＥＰＲＯＭ３１から抽出する。そして、個人情報抽出部５３は、抽出された電話帳レコードを音発生部５７、振動発生部５９、個人情報表示部５５および履歴記憶部６１に出力する。個人情報抽出部５３は、抽出された電話帳レコードが複数の場合、抽出されたすべての複数の電話帳レコードを、音発生部５７、振動発生部５９、個人情報表示部５５および履歴記憶部６１に出力する。
【００５１】
ここで、図４に示した電話帳６５を用いて、個人情報抽出部５３が複数の電話帳レコードを抽出する場合について、電話番号「２２２−３３３−４４４４」から着信があった場合を例に説明する。図４を参照して、電話番号「２２２−３３３−４４４４」から着信があった場合、ＮＯ．の項目に「２」が設定された電話帳レコードが抽出される。ここでは、ＮＯ．の項目に「２」が設定された電話帳レコードは、重複印の項目に「３」が設定されている。個人情報抽出部５３は、重複印の項目に設定された「３」に基づいてＮＯ．の項目に「３」が設定された電話帳レコードを抽出する。その結果、ＮＯ．の項目に「２」が設定された電話帳レコードと、ＮＯ．の項目に「３」が設定された電話帳レコードとを抽出する。このように、電話帳レコードは、重複印の項目を含むので、電話番号の項目に同一の電話番号が設定された複数の電話帳レコードを抽出する処理を速くすることができる。
【００５２】
個人情報表示部５５は、個人情報抽出部５３から単一の電話帳レコードが入力される場合、第１の態様で表示する画面として第１の着信中画面をＬＣＤ１５に表示させ、複数の電話帳レコードが入力される場合、第２の態様で表示する画面として第２の着信中画面をＬＣＤ１５に表示させる。第１の着信中画面は、個人情報抽出部５３から入力される単一の電話帳レコードに含まれる氏名、電話番号および画像を含む。ユーザは、第１の着信中画面を見ることによって着信相手を知ることができる。第２の着信中画面は、個人情報抽出部５３から入力される複数の電話帳レコードそれぞれに含まれる複数の氏名および複数の画像と、共通に含まれる単一の電話番号とを含む。ここでは、第２の着信中画面に含まれる複数の氏名それぞれで特定される者を、着信候補者という。ユーザは、第２の着信中画面を見ることによって、氏名が表示された複数の着信候補者のうちいずれかからの着信であることを知ることができる。
【００５３】
図５は、第１の着信中画面の一例を示す図である。図５を参照して、第１の着信中画面は、氏名を表示するための領域７１と、電話番号を表示するための領域７３と、画像を表示するための領域７５と、を含む。図５に示す第１の着信中画面は、図４に示した電話帳６５がＥＥＰＲＯＭ３１に記憶されている状態で、電話番号「１１１−２２２−３３３３」から着信があった場合に表示される画面を示している。電話帳６５において、電話番号の項目に「１１１−２２２−３３３３」が設定されている電話帳レコードは、Ｎｏ．の項目に「１」が設定されている電話帳レコードのみである。このため、図５に示す第１の着信中画面は、ＮＯ．の項目に「１」が設定されている電話帳レコードの氏名の項目に設定されている「田中  ○郎」が領域７１に表示され、電話番号の項目に設定されている「１１１−２２２−３３３３」が領域７３に表示され、画像の項目に設定されている画像が領域７５に表示される。
【００５４】
図６は、第２の着信中画面の一例を示す図である。第２の着信中画面は、複数の氏名が表示される領域７１Ａと、電話番号が表示される領域７３と、複数の画像が表示される領域７５Ａと、を含む。ここでは、図４に示した電話帳６５がＥＥＰＲＯＭ３１に記憶されている状態で、電話番号「２２２−３３３−４４４４」から着信があった場合に表示される画面を示している。電話帳６５において、電話番号の項目に「２２２−３３３−４４４４」が設定されている電話帳レコードは、Ｎｏ．の項目に「２」が設定されている電話帳レコードおよびＮｏ．の項目に「３」が設定されている電話帳レコードである。このため、着信候補者の氏名は、ＮＯ．の項目に「２」が設定されている電話帳レコードの氏名の項目に設定されている「山田  □郎」と、ＮＯ．の項目に「３」が設定されている電話帳レコードの氏名の項目に設定されている「鈴△  一郎」とである。また、着信候補者の画像は、ＮＯ．の項目に「２」が設定されている電話帳レコードの画像の項目に設定されている画像と、ＮＯ．の項目に「３」が設定されている電話帳レコードの画像の項目に設定されている画像とである。
【００５５】
図６に示す第２の着信中画面において、領域７１Ａには、着信候補者の氏名「山田  □郎」と「鈴△  一郎」とを並べた「山田  □郎  または鈴△  一郎」が表示される。ここでは、「山田  □郎」と「鈴△  一郎」とを並べて配置して同時に領域７１Ａに表示するようにしたが、「山田  □郎」と「鈴△  一郎」とを所定の時間間隔で交互に領域７１Ａに表示してもよい。領域７３には、着信のあった電話番号「２２２−３３３−４４４４」が表示される。また、領域７５Ａは、ＮＯ．の項目に「２」が設定されている電話帳レコードの画像の項目に設定されている画像と、ＮＯ．の項目に「３」が設定されている電話帳レコードの画像の項目に設定されている画像と、が表示される。ここでは、ＮＯ．の項目に「２」が設定されている電話帳レコードの画像の項目に設定されている画像と、ＮＯ．の項目に「３」が設定されている電話帳レコードの画像の項目に設定されている画像とを、所定の時間間隔で交互に領域７５Ａに表示させる。なお、２つの画像を並べて配置し、同時に領域７５Ａに表示するようにしてもよい。第２の着信中画面に「山田  □郎」と「鈴△  一郎」が表示されるので、着信候補者である「山田  □郎」と「鈴△  一郎」のいずれかからの着信であることをユーザに報知することができる。
【００５６】
＜第２の着信中画面の変形例＞
図７は、変形例における第２の着信中画面の一例を示す図である。ここでは、図４に示した電話帳６５がＥＥＰＲＯＭ３１に記憶されている状態で、電話番号「２２２−３３３−４４４４」から着信があった場合に表示される変形例における第２の着信中画面を示している。変形例における第２の着信中画面は、図６に示した第２の着信中画面と異なる点は、領域７５Ａが削除された点、領域７１Ａに変えて領域７７を含む点である。その他の構成は同じなのでここでは説明を繰り返さない。領域７７は、「複数候補があります」のメッセージを含む。「山田  □郎」と「鈴△  一郎」のうちいずれか一方を表示する従来の方法では、例えば、「山田  □郎」が表示されているにも係わらず、実際には「鈴△  一郎」が発信者である場合がある。変形例における第２の着信中画面の領域７７に「複数候補があります」のメッセージが表示されるので、従来の方法のような誤報を防止することができるとともに、電話帳６５に登録されている複数の着信候補者のうちいずれかからの着信であることをユーザに報知することができる。
【００５７】
図３に戻って、音発生部５７は、個人情報抽出部５３から単一の電話帳レコードが入力される場合、着信中であることを報知するために、第１の態様の音として第１の着信音をスピーカ１１に発生させ、個人情報抽出部５３から複数の電話帳レコードが入力される場合、第２の態様の音として第２の着信音をスピーカ１１に発生させる。第１の着信音と第２の着信音とは、例えば、メロディー、音階、大きさ等が異なる。
【００５８】
振動発生部５９は、個人情報抽出部５３から単一の電話帳レコードが入力される場合、着信中であることを報知するために第１の態様の音として第１の振動パターンで振動部２６を振動させ、個人情報抽出部５３から複数の電話帳レコードが入力される場合、第２の態様の音として第２の振動パターンで振動部２６を振動させる。第１の振動パターンと第２の振動パターンとは、振動の周期、振幅、振動の繰りかえり間隔等のパターンが異なる。
【００５９】
このように、電話帳６５から複数の電話帳レコードが抽出される場合に第２の態様で報知し、単一の電話帳レコードが抽出される場合に第１の態様で報知するので、発信元の通信相手が特定されたか否かをユーザに通知することができる。特に、第２の態様で通知する場合に第２の着信中画面を表示するので、電話帳６５に登録されている複数の着信候補者のうちいずれかから着信中であることをユーザに報知することができる。なお、単一の電話帳レコードが抽出される場合と、複数の電話帳レコードが抽出される場合とで、いずれか一方で着信音をスピーカ１１に発生させ、他方で所定の振動パターンで振動部２６を振動させるとしてもよい。この場合、着信報知の種類が音と振動というように明確に異なるため、単一の電話帳レコードが抽出される場合と、複数の電話帳レコードが抽出される場合とで、より明確にユーザが認識することができる。  
履歴記憶部６１は、個人情報抽出部５３から電話帳レコードが入力されると、入力された電話帳レコードに含まれる氏名および電話番号と、着信の日時とを含む履歴レコードを生成し、ＥＥＰＲＯＭ３１に記憶されている履歴６７に追加する。
【００６０】
履歴記憶部６１は、選択部６３を含む。選択部６３は、個人情報抽出部５３から複数の電話帳レコードが入力される場合、１つを選択する。具体的には、選択部６３は、入力された複数の電話帳レコードの氏名の項目にそれぞれ設定されている複数の氏名を選択可能に表示する選択画面を、通話終了時にＬＣＤ１５に表示させる。そして、選択部６３は、ユーザが選択画面に表示されている複数の氏名のいずれか１つを選択する操作を操作部２５に入力すれば、選択された氏名を受け付け、選択された氏名が設定されている電話帳レコードを選択する。さらに、選択部６３は、選択された電話帳レコードに含まれる氏名および電話番号と、着信の日時とを含む履歴レコードを生成し、ＥＥＰＲＯＭ３１に記憶されている履歴６７に追加する。このため、通話終了後にユーザが実際に通話した相手を履歴として記憶することができる。
【００６１】
図８は、選択画面の一例を示す図である。選択画面は、複数の着信候補者それぞれの氏名を選択可能に表示するための領域８３および領域８５を含む。ここでは、電話帳６５がＥＥＰＲＯＭ３１に記憶されている状態で、電話番号「２２２−３３３−４４４４」から着信に基づく通話が終了した後に表示される選択画面を示している。図８に示す選択画面においては、領域８３は、氏名「山田  □郎」が反転表示され、ユーザによって選択されたことが示されている。なお、図８においては、反転表示をハッチングで示している。領域８５は、氏名「鈴△  一郎」が表示される。
【００６２】
図９は、登録処理の流れの一例を示すフローチャートである。登録処理は、ＣＰＵ２１がＥＥＰＲＯＭ３１に記憶された着信報知プログラムを実行することにより、ＣＰＵ２１により実行される処理である。図９を参照して、ＣＰＵ２１は、ユーザにより操作部２５に個人情報を登録するための操作が入力されたか否かを判断する（ステップＳ０１）。個人情報を登録するための操作が入力されるまで待機状態となり（ステップＳ０１でＮＯ）、個人情報を登録するための操作が入力されたと判断すると（ステップＳ０１でＹＥＳ）、処理をステップＳ０２に進める。ステップＳ０２においては、個人情報の入力を受け付け、処理をステップＳ０３に進める。具体的には、個人情報を入力する領域を含む登録画面をＬＣＤ１５に表示し、ユーザが登録画面に含まれる個人情報を入力する領域に操作部２５から個人識別情報、電話番号、および画像を入力すると、それらを受け付ける。
【００６３】
ステップＳ０３においては、ステップＳ０２において受け付けられた個人情報のうちから電話番号を取得し、処理をステップＳ０４に進める。ステップＳ０４においては、ステップＳ０３において取得された電話番号と同一の電話番号が電話帳６５に登録されているか否かを判断する。具体的には、ステップＳ０３で取得された電話番号と同一の電話番号が電話番号の項目に設定されている電話帳レコードが存在するか否かを判断する。ステップＳ０３で取得された電話番号と同一の電話番号が電話番号の項目に設定されている電話帳レコードが存在する場合（ステップＳ０４でＹＥＳ）、処理をステップＳ０５に進め、そうでなければ（ステップＳ０４でＮＯ）、処理をステップＳ０８に進める。
【００６４】
ステップＳ０５においては、警告画面をＬＣＤ１５に表示し、処理をステップＳ０６に進める。警告画面は、ステップＳ０３で取得された電話番号と同一の電話番号が電話番号の項目に設定されている電話帳レコードが既に存在することをユーザに報知するための画面であり、例えば、「同一の電話番号で登録されています。登録しますか？」のメッセージを含む。また、警告画面は、電話番号が同じ複数の電話帳レコードを登録するか否かをユーザに確認するための画面でもある。
【００６５】
ステップＳ０６においては、個人情報を登録する指示がユーザにより入力されたか否かを判断する。ユーザが操作部２５に予め定められたキーを押下すれば、個人情報を登録する指示が入力されたと判断する。個人情報を登録する指示が入力された場合、処理をステップＳ０７に進め、そうでなければ処理をステップＳ０２に戻す。処理をステップＳ０２に戻す場合、先に実行されたステップＳ０２で入力された個人情報は、電話帳６５に登録されない。
【００６６】
ステップＳ０７においては、ステップＳ０２において受け付けられた個人情報に重複印を付けて登録する。具体的には、ステップＳ０２で受け付けられた個人情報に含まれる氏名、電話番号および画像を、個人識別情報の項目、電話番号の項目および画像の項目にそれぞれ設定し、重複印の項目に電話番号が重複することを示す印を設定した新たな電話帳レコードを生成し、ＥＥＰＲＯＭ３１に記憶されている電話帳６５に追加する。ここでは、重複印の項目に、ステップＳ０３において取得された電話番号と同一の電話番号が電話番号の項目に設定されている電話帳レコードの番号の項目に設定された番号を設定し、当該電話帳レコードの重複印の項目に、新たに生成された電話帳レコードの番号の項目に設定された番号を設定する。
【００６７】
一方、ステップＳ０８においては、ステップＳ０６と同様に、個人情報を登録する指示がユーザにより入力されたか否かを判断する。個人情報を登録する指示が入力されたならば処理をステップＳ０９に進め、そうでなければ処理をステップＳ０２に戻す。処理をステップＳ０２に戻す場合、先に実行されたステップＳ０２で入力された個人情報は、電話帳６５に登録されない。
【００６８】
ステップＳ０９においては、ステップＳ０２で受け付けられた個人情報を登録し、処理を終了する。具体的には、ステップＳ０２で受け付けられた個人情報に含まれる氏名、電話番号および画像を、個人識別情報の項目、電話番号の項目および画像の項目にそれぞれ設定した新たな電話帳レコードを生成し、生成された電話帳レコードをＥＥＰＲＯＭ３１に記憶されている電話帳６５に追加する。
【００６９】
図１０は、着信報知処理の流れの一例を示すフローチャートである。着信報知処理は、ＣＰＵ２１がＥＥＰＲＯＭ３１に記憶された着信報知プログラムを実行することにより、ＣＰＵ２１により実行される処理である。図１０を参照して、ＣＰＵ２１は、無線回路２２が着呼信号を受信したか否かを判断する（ステップＳ１０）。無線回路２２が着呼信号を受信するまで待機状態となり（ステップＳ１０でＮＯ）、無線回路２２が着呼信号を受信したならば（ステップＳ１０でＹＥＳ）、処理をステップＳ１１に進める。
【００７０】
ステップＳ１１においては、ステップＳ１０において無線回路２２が受信した着呼信号から電話番号を抽出し、処理をステップＳ１２に進める。ステップＳ１２においては、着信相手の個人情報を電話帳６５から抽出し、処理をステップＳ１３に進める。具体的には、ステップＳ１１において抽出された電話番号と同一の電話番号を含む電話帳レコードをＥＥＰＲＯＭ３１に記憶されている電話帳６５から抽出する。ここで、抽出された電話帳レコードの重複印の項目に番号が設定されている場合、その番号がＮＯ．の項目に設定されている電話帳レコードをさらに電話帳６５から抽出する。すなわち、抽出された電話帳レコードの重複印の項目に番号が設定されている場合、複数の電話帳レコードが抽出される。
【００７１】
ステップＳ１３においては、ステップＳ１２において複数の電話帳レコードが抽出されたか否かを判断する。複数の電話帳レコードが抽出されたならば、処理をステップＳ１４に進め、そうでなければ処理をステップＳ２１に進める。
【００７２】
ステップＳ１４においては、第２の態様で着信を報知し、処理をステップＳ１５に進める。具体的には、図６または図７に示した第２の着信中画面をＬＣＤ１５に表示し、スピーカ１１から第２の音の発生し、振動部２６を第２の振動パターンで振動させる。
【００７３】
ステップＳ１５においては、ユーザが着信に応答したか否かを判断する。着信に応答したならば処理をステップＳ１６に進め、そうでなければ処理をステップＳ１７に進める。ユーザが、操作部２５に含まれる通話ボタンを押下する操作を検出したならば着信に応答したと判断する。ステップＳ１７に処理が進む場合、ステップＳ１２において複数の電話帳レコードが抽出されている。このため、ステップＳ１７においては、抽出された複数の電話帳レコードそれぞれに含まれる複数の氏名を含む履歴を記憶し、処理を終了する。具体的には、ステップＳ１２において抽出された複数の電話帳レコードそれぞれに含まれる複数の氏名と、共通に含まれる電話番号と、着信の日時と、を含む履歴レコードを生成し、ＥＥＰＲＯＭ３１に記憶されている履歴６７に追加する。
【００７４】
一方、ステップＳ１６においては、通信が終了するまで待機状態となり（ステップＳ１６でＮＯ）、通信が終了すれば（ステップＳ１６でＹＥＳ）、処理をステップＳ１８に進める。ユーザが操作部２５に含まれるオンフックキーを押下する操作を検出したならば、通信が終了したと判断する。
【００７５】
ステップＳ１８においては、選択画面をＬＣＤ１５に表示し、処理をステップＳ１９に進める。ここでは、選択画面は、ステップＳ１２において抽出された複数の電話帳レコードそれぞれに含まれる複数の氏名を選択可能に表示する画面である。
【００７６】
ステップＳ１９においては、ステップＳ１８において表示された選択画面に含まれる複数の氏名のうちから１つを選択する操作を受け付けるまで待機状態となり、選択する操作を受け付けたならば処理をステップＳ２０に進める。ステップＳ２０においては、選択された氏名を含む履歴を記憶し、処理を終了する。具体的には、選択された氏名と、ステップＳ１１において取得された着信相手の電話番号と、着信日時とを含む履歴レコードを生成し、ＥＥＰＲＯＭ３１に記憶されている履歴６７に追加する。
【００７７】
一方、処理がステップＳ２１に進む場合、ステップＳ１２において単一の電話帳レコードが抽出された場合である。ステップＳ２１においては、第１の態様で着信を報知し、処理をステップＳ２２に進める。具体的には、図５に示した第１の着信中画面をＬＣＤ１５に表示し、スピーカ１１から第１の音の発生し、振動部２６を第１の振動パターンで振動させる。
【００７８】
ステップＳ２２においては、ステップＳ１５と同様に、ユーザが着信に応答したか否かを判断する。ユーザが着信に応答したならば処理をステップＳ２３に進め、ユーザが着信に応答しないならばステップＳ２３をスキップして処理をステップＳ２４に進める。ステップＳ２３においては、ステップＳ１６と同様に通信が終了するまで待機状態となり（ステップＳ２３でＮＯ）、通信が終了すれば（ステップＳ２３でＹＥＳ）、処理をステップＳ２４に進める。
【００７９】
ステップＳ２４においては、ステップＳ１２において抽出された電話帳レコードに含まれる氏名を含む履歴を記憶し、処理を終了する。具体的には、ステップＳ１２において抽出された電話帳レコードに含まれる氏名と、ステップＳ１１において取得された電話番号と、着信日時とを含む履歴レコードを生成し、ＥＥＰＲＯＭ３１に記憶されている履歴６７に追加する。
【００８０】
以上説明したように本実施の形態における携帯電話機１は、個人識別情報としての氏名と、通信識別情報としての電話番号とを関連付けた電話帳６５を記憶するＥＥＰＲＯＭ３１と、着信に応じて通信相手に割り当てられた電話番号と同一の電話番号を含む電話帳レコードを抽出し、複数の電話帳レコードが抽出される場合は第２の態様で着信を報知し、単一の電話帳レコードが抽出される場合は第１の態様で着信を報知する。このため、着信時において、通信相手として複数の候補が存在することをユーザに通知することができる。その結果、ユーザに着信相手を正確に通知することができる。
【００８１】
また、第１の態様で着信を報知する場合に、発信元の電話番号から特定される単一の氏名を含む第１の着信中画面を表示し、第２の態様で着信を報知する場合に、複数の着信候補者の氏名を含む第２の着信中画面を表示する。第２の着信中画面は、複数の着信候補者の氏名を含むので、通信相手の可能性のある複数の者の氏名をユーザに報知することができる。
【００８２】
また、第２の態様で着信を報知する場合に、通信終了時に複数の着信候補者の氏名を含む選択画面を表示し、複数の着信候補者の氏名のうちからユーザにより選択された１つの氏名が履歴として記憶される。これにより、実際に通信した相手を履歴として記憶することができる。
【００８３】
また、電話帳６５に新たな電話帳レコードを追加する場合に、電話番号が同じ電話帳レコードが電話帳６５に既に記憶されている場合、警告するので、同じ電話番号で複数の氏名が登録されることをユーザに通知することができる。
【００８４】
また、第１の態様で着信を報知する場合に、第１の音を発生し、第２の態様で着信を報知する場合に、第１の音と異なる第２の音を発生することも可能である。このため、通信相手の可能性のある者が複数であることを音で通知することができる。
【００８５】
また、第１の態様で着信を報知する場合に、第１の振動パターンで振動を発生し、第２の態様で着信を報知する場合に、第１の振動パターンとは異なる第２の振動パターンで振動を発生することも可能である。このため、通信相手の可能性のある者が複数であることを振動で通知することができる。
【００８６】
なお、上述した実施の形態においては、通信装置の一例として携帯電話機１について説明したが、図９および図１０に示す処理を通信装置に実行させるための着信報知方法、または、着信報知方法を通信装置を制御するＣＰＵ２１に実行させるための着信報知プログラムとして発明を捉えることができるのはいうまでもない。また、実施の形態においては、携帯電話機１が着信を報知する場合について説明したが、電子メールの受信する際に電子メールの受信を報知する場合にも適用することができる。この場合には、通信相手の通信識別情報として電子メールアドレスが用いられる。
【００８７】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
＜付記＞
（１）  前記個人情報管理部は、前記警告部による警告の後、前記受け付けられた個人情報を記憶する指示が入力されることを条件に、前記受け付けられた個人情報を記憶する、請求項５に記載の通信装置。
（２）  前記個人情報管理部は、前記受け付けられた個人情報と、前記受け付けられた個人情報に含まれる前記通信識別情報と同じ通信識別情報を含む個人情報とに同一の通信識別情報を含んでいることを示す識別情報を付す識別情報付加部を含む、（１）に記載の通信装置。この局面に従えば、同一の通信識別情報を含む複数の個人情報を抽出する処理を速くすることができる。
【図面の簡単な説明】
【００８８】
【図１】本発明の実施の形態の一つにおける携帯電話機の外観を示す斜視図である。
【図２】本実施の形態における携帯電話機のハードウェア構成の一例を示すブロック図である。
【図３】本発明の実施の形態の１つにおける携帯電話機のＣＰＵの機能の概要をＥＥＰＲＯＭに記憶する情報とともに示す機能ブロック図である。
【図４】電話帳の一例を示す図である。
【図５】第１の着信中画面の一例を示す図である。
【図６】第２の着信中画面の一例を示す図である。
【図７】変形例における第２の着信中画面の一例を示す図である。
【図８】選択画面の一例を示す図である。
【図９】登録処理の流れの一例を示すフローチャートである。
【図１０】着信報知処理の流れの一例を示すフローチャートである。
【符号の説明】
【００８９】
１  携帯電話機、２  表示側部、３  操作側部、１１  スピーカ、１３  マイクロフォン、１４  操作キー、２１  ＣＰＵ、２２  無線回路、２２Ａ  アンテナ、２３  コーデック部、２４  カメラ、２５  操作部、２６  振動部、２７  カードＩ／Ｆ、２７Ａ  メモリカード、２８  音声制御部、３１  ＥＥＰＲＯＭ、３２  ＲＯＭ、４１  個人情報受付部、４３  通信制御部、４５  個人情報管理部、４７  警告部、４９  識別情報付加部、５１  着信報知部、５３  個人情報抽出部、５５  個人情報表示部、５７  音発生部、５９  振動発生部、６１  履歴記憶部、６３  選択部、６５  電話帳、６７  履歴。
【図１】
2011155480.tif 000003
【図２】
2011155480.tif 000004
【図３】
2011155480.tif 000005
【図４】
2011155480.tif 000006
【図５】
2011155480.tif 000007
【図６】
2011155480.tif 000008
【図７】
2011155480.tif 000009
【図８】
2011155480.tif 000010
【図９】
2011155480.tif 000011
【図１０】
2011155480.tif 000012